(57)【要約】【課題】  たとえば分配器や分岐器等のテレビジョン信号の共聴機器などとして実現され、壁面や床面などの固定物に取付けて使用され、高周波部品が導電性の筐体に収納されて成る高周波機器において、低コストかつ省スペースな構成で、容易にアース線を取付けることができるようにする。【解決手段】  筐体２２からは、壁面への取付け用のフランジ２６，２７がそれぞれ延設され、これらのフランジ２６，２７をビス２８，２９によってネジ止めすることで、筐体２２は壁面に取付けられる。そして、前記ビス２８，２９を鍔２８ａ，２９ａ付にするとともに、前記筐体２２におけるネジ孔近傍に、アース線３０を嵌め込むための溝３１，３２を形成する。したがって、アース線３０の取付けのために専用のビスや押え金具などを用いることなく、低コストかつ省スペースな構成で取付けることができる。【選択図】      図１
2006019634.tif 000002
【特許請求の範囲】
【請求項１】
高周波部品が導電性の筐体に収納されて成り、前記筐体を固定物に取付けて使用される高周波機器において、
筐体を固定物に取付けるビスの少なくとも１つを鍔付にし、
前記筐体における鍔付のビスのネジ孔近傍に、アース線を嵌め込む溝を有し、前記鍔と前記溝との間にアース線を挟み込むことを特徴とする高周波機器。
【請求項２】
高周波部品が導電性の筐体に収納されて成り、前記筐体を固定物に取付けて使用される高周波機器において、
前記筐体を固定物に取付けるビスのためのネジ孔の少なくとも１つの近傍に、アース線を嵌め込む溝を有し、
前記ビスの頭部を、前記アース線の一部もしくは全部を覆う径に形成することを特徴とする高周波機器。
【請求項３】
前記溝は、前記ネジ孔を外囲するように曲折されていることを特徴とする請求項１または２記載の高周波機器。
【請求項４】
前記溝は、前記アース線の挿入側の幅が広く、奥行き側が狭く形成されていることを特徴とする請求項１〜３のいずれか１項に記載の高周波機器。
【請求項５】
前記溝は、前記ネジ孔に対して、外周側の高さが内周側の高さよりも高く形成されていることを特徴とする請求項１〜４のいずれか１項に記載の高周波機器。
【請求項６】
前記溝の内周面には、前記アース線の滑り止めのために１または複数の突起を有することを特徴とする請求項１〜５のいずれか１項に記載の高周波機器。
【請求項７】
前記溝の端部には、該溝の底面から深さ方向に入り込み、前記アース線の先端が差込まれる凹所を有することを特徴とする請求項１〜６のいずれか１項に記載の高周波機器。
【発明の詳細な説明】
【技術分野】
【０００１】
本発明は、たとえば分配器や分岐器等のテレビジョン信号の共聴機器などとして実現される高周波機器に関し、特に、壁面や床面などの固定物に取付けて使用される機器にアース線を取付けるための構造に関する。
【背景技術】
【０００２】
前記分配器や分岐器等のテレビジョン信号の共聴機器などでは、高周波信号を扱うので、従来から、筐体にアース線が接続され、ノイズの侵入などを抑えるようにしたものも使用されている。そのアース線の接続構造の典型的な従来技術は、特許文献１〜３に示されている。
【０００３】
図１３は、特許文献１，２の従来技術によるアース線の接続構造を有する２分配器１の正面図である。この２分配器１の導電性の筐体２内には、テレビジョンの高周波信号を２つに分配する回路がシールドされて内蔵されており、前記筐体２の相互に対向する側面２ａ，２ｂの内、一方の側面２ａには入力側の単一の接栓３が取付けられ、他方の側面２ｂには２つの出力側の接栓４，５が取付けられている。前記筐体２は、ビス６，７によって壁面に取付けられる。
【０００４】
そして、この従来技術では、図１４で示すように、アース線８は、その先端８ａの絶縁被覆が剥され、図１４（ａ）および図１４（ｂ）から図１４（ｃ）で示すように、筐体２の側面に形成されたアース孔９に差込まれ、ビス１０によって締付け固定される。図１４は、筐体２のアース線８の取付け部付近を拡大して示す図であり、図１４（ａ）は正面図、図１４（ｂ）および図１４（ｃ）は側面図である。
【０００５】
また図１５は、他の従来技術によるアース線の接続構造を有する２分配器１１の正面図である。この図１５において、前述の図１３の構成に類似し、対応する部分には同一の参照符号を付して示し、その説明を省略する。この２分配器１１では、筐体１２の相互に対向する側面からは、前記ビス６，７による壁面への取付け用のフランジ１３，１４がそれぞれ延設されるとともに、アース線８の取付け用の台座１５，１６がそれぞれ延設されている。そして、図１６（ａ）および図１６（ｂ）から図１６（ｃ）で示すように、台座１５，１６の一方の上には（図１６は台座１６上を示す）、ビス１７，１８および押え金具１９，２０によって、前記アース線８が締付け固定される。前記図１４と同様に、図１６（ａ）は正面図、図１６（ｂ）および図１６（ｃ）は側面図である。
【０００６】
ところが、これらの従来技術では、筐体２，１２にアース孔９や台座１５，１６を形成したり、ビス１０；１７，１８や押え金具１９，２０が必要になり、コストおよびスペースが嵩むという問題がある。そこで、さらに他の従来技術では、アース線の先端に丸端子を圧着し、筐体取付け用のビスを、その丸端子の孔および筐体の取付け座内を挿通させた後、壁面にネジ止めしている。これによって、アース線の取付けのために、専用のビスや押え金具などを省略している。
【特許文献１】実公昭６１−１４１９０号公報
【特許文献２】実公昭６４−３３２５号公報
【発明の開示】
【発明が解決しようとする課題】
【０００７】
しかしながら、丸端子やＹ端子を圧着していたのでは、アース線の先端処理が必要になり、取付け作業が煩雑であるという問題がある。
【０００８】
本発明の目的は、低コストかつ省スペースな構成で、容易にアース線を取付けることができる高周波機器を提供することである。
【課題を解決するための手段】
【０００９】
本発明の高周波機器は、高周波部品が導電性の筐体に収納されて成り、前記筐体を固定物に取付けて使用される高周波機器において、筐体を固定物に取付けるビスの少なくとも１つを鍔付にし、前記筐体における鍔付のビスのネジ孔近傍に、アース線を嵌め込む溝を有し、前記鍔と前記溝との間にアース線を挟み込むことを特徴とする。
【００１０】
上記の構成によれば、たとえば分配器や分岐器等のテレビジョン信号の共聴機器などとして実現され、壁面や床面などの固定物に取付けて使用され、高周波部品が導電性の筐体に収納されて成る高周波機器において、アース線を取付けるにあたって、前記筐体を固定物に取付けるビスの少なくとも１つを鍔付にして、このビスの鍔と筐体との間にアース線を挟み込んで固定するようにし、さらに筐体側には、前記鍔付のビスのネジ孔近傍に、アース線を嵌め込む溝を形成しておく。
【００１１】
したがって、アース線の取付けのために専用のビスや押え金具などを用いることなく、低コストかつ省スペースな構成で、特に単芯線においては、絶縁被覆を剥すだけで、丸端子やＹ端子を圧着するような特別な先端処理を施すことなく、容易にアース線を取付けることができる。
【００１２】
また、本発明の高周波機器は、高周波部品が導電性の筐体に収納されて成り、前記筐体を固定物に取付けて使用される高周波機器において、前記筐体を固定物に取付けるビスのためのネジ孔の少なくとも１つの近傍に、アース線を嵌め込む溝を有し、前記ビスの頭部を、前記アース線の一部もしくは全部を覆う径に形成することを特徴とする。
【００１３】
上記の構成によれば、たとえば分配器や分岐器等のテレビジョン信号の共聴機器などとして実現され、壁面や床面などの固定物に取付けて使用され、高周波部品が導電性の筐体に収納されて成る高周波機器において、アース線を取付けるにあたって、前記筐体を固定物に取付けるビスのためのネジ孔の少なくとも１つの近傍に、アース線を嵌め込む溝を有し、前記ビスの頭部を鍔付にするなどして、前記アース線の一部もしくは全部を覆う径に形成する。
【００１４】
したがって、筐体の壁面などへの取付け用のビスを締付けるだけで、アース線は、大径のビスの頭部で溝内に押え込まれ、アース線の取付けのために専用のビスや押え金具などを用いることなく、低コストかつ省スペースな構成で、特に単芯線においては、絶縁被覆を剥すだけで、丸端子やＹ端子を圧着するような特別な先端処理を施すことなく、容易にアース線を取付けることができる。
【００１５】
さらにまた、本発明の高周波機器では、前記溝は、前記ネジ孔を外囲するように曲折されていることを特徴とする。
【００１６】
上記の構成によれば、溝に嵌め込まれたアース線はビスの鍔の周方向に沿うことになり、抜けにくくなるとともに、該鍔との接触面積が増加し、アース線のネジ止め強度を向上することができる。
【００１７】
また、本発明の高周波機器では、前記溝は、前記アース線の挿入側の幅が広く、奥行き側が狭く形成されていることを特徴とする。
【００１８】
上記の構成によれば、前記溝の幅が、前記アース線の挿入側で広く、奥行き側で狭く、すなわちテーパー状に形成されていることで、ネジ止め強度を確保しつつ、アース線を嵌め込み易くすることができる。
【００１９】
さらにまた、本発明の高周波機器では、前記溝は、前記ネジ孔に対して、外周側の高さが内周側の高さよりも高く形成されていることを特徴とする。
【００２０】
上記の構成によれば、ネジ止めしてゆくことによるアース線の逃げを抑えることができ、ネジ止めをし易くすることができる。
【００２１】
また、本発明の高周波機器では、前記溝の内周面には、前記アース線の滑り止めのために１または複数の突起を有することを特徴とする。
【００２２】
上記の構成によれば、ビスをネジ止めすると、前記突起がアース線の外周面から噛み込み、さらに抜けにくくすることができる。前記突起は、単独の突起や凸条、周期的に繰返し形成された前記突起や凸条、さらには粗面処理によって形成されていてもよい。
【００２３】
さらにまた、本発明の高周波機器では、前記溝の端部には、該溝の底面から深さ方向に入り込み、前記アース線の先端が差込まれる凹所を有することを特徴とする。
【００２４】
上記の構成によれば、アース線の先端を溝の底面から深さ方向に入り込む凹所に差込んだ後、それに連なる部分を折り曲げて溝に嵌め込み、ネジ止めすることで、ネジ止め時のアース線の抜け止めを行うことができ、作業性を向上することができる。
【発明の効果】
【００２５】
本発明の高周波機器は、以上のように、たとえば分配器や分岐器等のテレビジョン信号の共聴機器などとして実現され、壁面や床面などの固定物に取付けて使用され、高周波部品が導電性の筐体に収納されて成る高周波機器において、アース線を取付けるにあたって、前記筐体を固定物に取付けるビスの少なくとも１つを鍔付にして、このビスの鍔と筐体との間にアース線を挟み込んで固定するようにし、さらに筐体側には、前記鍔付のビスのネジ孔近傍に、アース線を嵌め込む溝を形成しておく。
【００２６】
それゆえ、アース線の取付けのために専用のビスや押え金具などを用いることなく、低コストかつ省スペースな構成で、特に単芯線においては、絶縁被覆を剥すだけで、丸端子やＹ端子を圧着するような特別な先端処理を施すことなく、容易にアース線を取付けることができる。
【００２７】
また、本発明の高周波機器は、以上のように、たとえば分配器や分岐器等のテレビジョン信号の共聴機器などとして実現され、壁面や床面などの固定物に取付けて使用され、高周波部品が導電性の筐体に収納されて成る高周波機器において、アース線を取付けるにあたって、前記筐体を固定物に取付けるビスのためのネジ孔の少なくとも１つの近傍に、アース線を嵌め込む溝を有し、前記ビスの頭部を鍔付にするなどして、前記アース線の一部もしくは全部を覆う径に形成する。
【００２８】
それゆえ、筐体の壁面などへの取付け用のビスを締付けるだけで、アース線は、大径のビスの頭部で溝内に押え込まれ、アース線の取付けのために専用のビスや押え金具などを用いることなく、低コストかつ省スペースな構成で、特に単芯線においては、絶縁被覆を剥すだけで、丸端子やＹ端子を圧着するような特別な先端処理を施すことなく、容易にアース線を取付けることができる。
【発明を実施するための最良の形態】
【００２９】
［実施の形態１］
図１は、本発明の実施の第１の形態に係るアース線の接続構造を有する２分配器２１の正面図である。この２分配器２１の導電性の筐体２２内には、テレビジョンの高周波信号を２つに分配する回路がシールドされて内蔵されており、前記筐体２２の相互に対向する側面２２ａ，２２ｂの内、一方の側面２２ａには入力側の単一の接栓２３が取付けられ、他方の側面２２ｂには２つの出力側の接栓２４，２５が取付けられている。前記筐体２２の相互に対向する側面２２ｃ，２２ｄからは、壁面への取付け用のフランジ２６，２７がそれぞれ延設され、これらのフランジ２６，２７をビス２８，２９によってネジ止めすることで、筐体２２は壁面に取付けられる。
【００３０】
注目すべきは、本発明では、前記ビス２８，２９の少なくとも１つ（図１では両方）を鍔２８ａ，２９ａ付にするとともに、前記筐体２２における鍔２８ａ，２９ａ付のビス（したがって、図１では２８，２９の両方）のネジ孔近傍に、アース線３０（図２および図３参照）を嵌め込むための溝３１，３２を有することである。
【００３１】
前記溝３１，３２の一方には前記アース線３０が嵌め込まれることになり、図２および図３では、溝３１にアース線３０を嵌め込む場合の様子を拡大して示す。図２は、その溝３１を有する一方のフランジ２６付近を拡大して示す正面図であり、図３（ａ）は図２の切断面線III−IIIから見た断面図であり、図３（ｂ）はビス２８の側面図である。ビス２８およびフランジ２６の構造は、ビス２９およびフランジ２７とそれぞれ同様の構造を有し、以下ではフランジ２６側について説明するが、フランジ２７側についても同様である。
【００３２】
前記アース線３０は、その先端３０ａの絶縁被覆が剥され、図２および図３（ａ）で示すように、前記溝３１に差込まれ、ビス２８が締付けられることで、フランジ２６が壁面へ固定されると同時に、鍔２８ａによって、溝３１の底面３１ａとの間で挟圧固定される。
【００３３】
このように構成することで、アース線３０の取付けのために専用のビスや押え金具などを用いることなく、低コストかつ省スペースな構成で、特に単芯線においては、絶縁被覆を剥すだけで、丸端子やＹ端子を圧着するような特別な先端処理を施すことなく、容易にアース線３０を取付けることができる。
【００３４】
本実施の形態では、前述のようにビス２８およびフランジ２６は、ビス２９およびフランジ２７とそれぞれ同様の構造を有し、アース線３０は、該分配器２１の取付け部分におけるアース線３０の引き回し状況に応じて、フランジ２６と２７との何れにも取付け可能となっているが、何れか一方のみに取付けられるようになっていてもよい。
【００３５】
［実施の形態２］
図４は、本発明の実施の第２の形態に係るアース線の接続構造を有する２分配器におけるアース線３０の取付け部付近を拡大して示す正面図であり、前述の図２に対応している。図４（ａ）はアース線３０を取付けた状態を示し、図４（ｂ）はアース線３０を取外した状態を示し、図４（ｃ）はアース線３０およびビス２８を共に取外した状態を示す。分配器本体の構成は図１と同様であり、本実施の形態では、フランジ４６が前述のフランジ２６と異なる（フランジ２７もこのフランジ４６と同様に形成されてもよい）だけであり、図１や図２と同一の構成は同一の参照符号を付して示し、その説明を省略する。
【００３６】
注目すべきは、このフランジ４６では、溝４１が、ネジ孔２８ｂを外囲するように曲折されて形成されていることである。したがって、溝４１に嵌め込まれたアース線３０に引張り力が作用しても、折れ曲がっていることで抜けにくくなるとともに、アース線３０はビス２８の鍔２８ａの周方向に沿うことになり、該鍔２８ａとの接触面積が増加する。これによって、アース線３０のネジ止め強度を向上することができる。
【００３７】
［実施の形態３］
図５および図６は、本発明の実施の第３の形態に係るアース線の接続構造におけるアース線の取付け部付近を拡大して示す図である。図５（ａ）および図６（ａ）は、アース線およびビスを共に取外した状態を示す正面図であり、前述の図４（ｃ）に対応している。また、図５（ｂ）および図６（ｂ）は、それぞれ前記図５（ａ）および図６（ａ）における切断面線Ｖ−Ｖ、VI−VIから見た断面図である。
【００３８】
注目すべきは、本実施の形態のフランジ５６，６６では、溝５１，６１の内周面には、前記アース線の滑り止めのために、１または複数の突起が形成されていることである。図５では、溝５１の長手方向に起伏を繰返し、溝５１の幅（短手）方向に延びる３つの凸条５２が形成されている。これに対して、図６では、溝６１の長手方向の全長に亘って起伏を繰返し、溝６１の幅（短手）方向に延びる凸条６２が形成されている。これら以外にも、前記突起としては、１または複数の円錐状のものや、さらには粗面処理によって形成されてもよい。また、溝５１，６１の底面ではなく、側面に形成されてもよい。
【００３９】
したがって、ビスをネジ止めすると、前記突起がアース線の外周面から噛み込み、さらに抜けにくくすることができる。
【００４０】
［実施の形態４］
図７は、本発明の実施の第４の形態に係るアース線の接続構造におけるアース線の取付け部付近を拡大して示す図である。この図７も、アース線およびビスを共に取外した状態を示す正面図であり、前述の図４（ｃ）や図５（ａ）および図６（ａ）に対応している。
【００４１】
注目すべきは、本実施の形態のフランジ７６では、溝７１は、前記アース線の挿入側の幅Ｗ２が広く、奥行き側の幅Ｗ１が狭く、すなわちテーパー状に形成されていることである。これによって、ネジ止め強度を確保しつつ、アース線を嵌め込み易くすることができる。
【００４２】
［実施の形態５］
図８は、本発明の実施の第５の形態に係るアース線の接続構造におけるアース線の取付け部付近を拡大して示す図である。図８（ａ）および図８（ｂ）は、それぞれ前述の図２および図３（ａ）に対応しており、図８（ａ）は正面図であり、図８（ｂ）は図８（ａ）における切断面線VIII−VIIIから見た断面図である。また、図８（ｃ）は、前述の図３（ｂ）で示すフランジ２６部分の断面図である。
【００４３】
注目すべきは、本実施の形態のフランジ８６では、図８（ｂ）で示すように、溝８１は、前記ネジ孔２８ｂに対して、外周側の側壁８１ｂの高さが内周側の側壁８１ｃの高さよりも高く形成されていることである。したがって、図８（ｃ）で示す両側壁３１ｂ，３１ｃの高さが等しい前述のフランジ２６における溝３１では、ネジ止めしてゆくことで、矢符８２で示すように、アース線３０に前記ネジ孔２８ｂに対して外方へ逃げる力が働くのに対して、本実施の形態では、それを外側の側壁８１ｂで抑え込み、アース線３０の逃げを抑えることができ、ネジ止めをし易くすることができる。
【００４４】
［実施の形態６］
図９は、本発明の実施の第６の形態に係るアース線の接続構造におけるアース線の取付け部付近を拡大して示す図である。図９（ａ）は正面図であり、図９（ｂ）および図９（ｃ）は図９（ａ）における切断面線IX−IXから見た断面図である。
【００４５】
注目すべきは、本実施の形態のフランジ９６では、溝９１の後端側には、アース線３０の線径に略等しく、該溝９１の底面９１ａから深さ方向に入り込み、前記アース線３０の先端３０ａが差込まれる凹所９２を有することである。したがって、アース線３０の先端３０ａを前記凹所９２に差込み、アース線３０を仮固定した後、それに連なる部分を折り曲げて溝９１に嵌め込み、ネジ止めすることで、ネジ止め時のアース線３０の抜け止めを行うことができ、作業性を向上することができる。
【００４６】
［実施の形態７］
図１０は本発明の実施の第７の形態に係る高周波機器１００の正面図であり、図１１はその右側面図であり、図１２はその上面図である。この高周波機器１００は、６つの接栓１０１〜１０６を有し、たとえば５分配器や４分岐器として実現される。アース線の接続構造としては、フランジ４６，４７は、前述の図４で示す曲折した溝４１，４２を有する。
【００４７】
このように本発明は、高周波部品が導電性の筐体に収納されて成り、その筐体を固定物にネジ止め固定して使用される高周波機器において、アース線を取付けるために好適に実施することができる。
【００４８】
なお、上述の説明では、ビス２８，２９は、鍔２８ａ，２９ａ付きであったけれども、該鍔２８ａ，２９ａを形成するのではなく、前記アース線３０の一部もしくは全部を覆うように、単に頭部を大径に形成して、同様の効果を得るようにしてもよい。好ましくは、溝３１の構造として、たとえば前記図８（ｃ）を参照して、前記ビス２８，２９の頭部を、溝３１の２つの側壁３１ｂ、３１ｃの内、前記ネジ孔２８ｂから遠い方の側壁３１ｂよりも前記アース線３０の半径だけ内方の部分までを少なくても覆うように、大径に形成すればよい。鍔２８ａ，２９ａの径も同様である。このように形成することで、筐体２２の壁面などへの取付けのためにビス２８，２９を締付けるだけで、アース線３０は、溝３１から脱落することなく、前記大径のビス２８，２９の頭部や鍔２８ａ，２９ａによって溝３１内に確実に押え込まれる。
【図面の簡単な説明】
【００４９】
【図１】本発明の実施の第１の形態に係るアース線の接続構造を有する２分配器の正面図である。
【図２】溝にアース線を嵌め込む様子を拡大して示す正面図である。
【図３】溝にアース線を嵌め込む様子を拡大して示す図である。
【図４】本発明の実施の第２の形態に係るアース線の接続構造を有する２分配器におけるアース線の取付け部付近を拡大して示す正面図である。
【図５】本発明の実施の第３の形態に係るアース線の接続構造におけるアース線の取付け部付近を拡大して示す図である。
【図６】本発明の実施の第３の形態に係るアース線の接続構造におけるアース線の取付け部付近を拡大して示す図である。
【図７】本発明の実施の第４の形態に係るアース線の接続構造におけるアース線の取付け部付近を拡大して示す図である。
【図８】本発明の実施の第５の形態に係るアース線の接続構造におけるアース線の取付け部付近を拡大して示す図である。
【図９】本発明の実施の第６の形態に係るアース線の接続構造におけるアース線の取付け部付近を拡大して示す図である。
【図１０】本発明の実施の第７の形態に係る高周波機器の正面図である。
【図１１】図１０の右側面図である。
【図１２】図１０の上面図である。
【図１３】典型的な従来技術によるアース線の接続構造を有する２分配器の正面図である。
【図１４】図１３の従来技術によるアース線の取付け部付近を拡大して示す正面図である。
【図１５】他の従来技術によるアース線の接続構造を有する２分配器の正面図である。
【図１６】図１５の従来技術によるアース線の取付け部付近を拡大して示す正面図である。
【符号の説明】
【００５０】
２１    ２分配器
２２    筐体
２３〜２５；１０１〜１０６    接栓
２６，２７；４６，４７；５６，６６；７６；８６；９６    フランジ
２８，２９    ビス
２８ａ，２９ａ    鍔
３０    アース線
３１，３２；４１，４２；５１，６１；７１；８１；９１    溝
５２，６２    凸条
２８ｂ  ネジ孔
３１ｂ，３１ｃ；８１ｂ，８１ｃ    側壁
３０ａ  先端
９１ａ  底面
９２    凹所
１００  高周波機器
【図１】
2006019634.tif 000003
【図２】
2006019634.tif 000004
【図３】
2006019634.tif 000005
【図４】
2006019634.tif 000006
【図５】
2006019634.tif 000007
【図６】
2006019634.tif 000008
【図７】
2006019634.tif 000009
【図８】
2006019634.tif 000010
【図９】
2006019634.tif 000011
【図１０】
2006019634.tif 000012
【図１１】
2006019634.tif 000013
【図１２】
2006019634.tif 000014
【図１３】
2006019634.tif 000015
【図１４】
2006019634.tif 000016
【図１５】
2006019634.tif 000017
【図１６】
2006019634.tif 000018